(57)【要約】【課題】トイレブースまたはシャワーブースの内部での非常事態発生時に、特別な解錠部材を用いなくとも、身近に比較的多く存在する物品を使用して、１秒でも早く、外部から該非常事態の発生したブースの扉を解錠して該ブース内に入ることを可能にして、その非常事態に対応した適切な措置を行うことを可能にするトイレブースまたはシャワーブース用扉の開閉構造を提供すること。【解決手段】非常時の解錠機構として、ブース外部から、電気コンセントプラグを用いた機械的操作によって解錠できる機構を有してなることを特徴とするトイレブースまたはシャワーブース用扉の開閉構造。【選択図】図１
2014055401.tif 000002
【特許請求の範囲】
【請求項１】
非常時の解錠機構として、ブース外部から、電気コンセントプラグを用いた機械的操作によって解錠できる機構を有してなることを特徴とするトイレブースまたはシャワーブース用扉の開閉構造。
【請求項２】
前記非常時の解錠機構の解錠操作面を覆うカバー部材が付設されていることを特徴とする請求項１記載のトイレブースまたはシャワーブース用扉の開閉構造。
【請求項３】
非常時の解錠機構の解錠操作面を覆う前記カバー部材が取り外されたとき、警報が発せられるようにされてなることを特徴とする請求項２記載のトイレブースまたはシャワーブース用扉の開閉構造。
【発明の詳細な説明】
【技術分野】
【０００１】
本発明は、非常解錠機構を有するトイレブースまたはシャワーブース用扉の開閉構造に関する。
【０００２】
さらに詳しくは、トイレブースまたはシャワーブース内で人が倒れる等の緊急な措置を要する非常事態が発生したときに、迅速にブース外から解錠して扉を開けることができるようにして、必要な措置を迅速にとることができるようにしたトイレブースまたはシャワーブース用扉の開閉構造に関する。
【背景技術】
【０００３】
公共施設、各種のスポーツ施設、イベント会場などで不特定な数多くの人に使用されるトイレブースまたはシャワーブース等では、その内部で人が倒れる等の緊急な措置を要する非常事態が発生する場合がある。
【０００４】
そうした場合、内部から施錠がされていて直ちには開放ができない扉を、ブース外部から緊急措置として解錠し、ブース内部で倒れている人に対する必要な措置を迅速にとることができる扉の開閉構造が要請される。
【０００５】
そうした要請に応じて、非常事態時に解錠するための回動操作をされる回動軸の頭部に、硬貨（コイン）等の板材が嵌合し得る割溝を穿設した構造とし、その割溝に、例えば硬貨（コイン）を勘合し、該硬貨（コイン）を回動させることによって解錠することができるようにした解錠機構が提案されている（特許文献１）。
【０００６】
この特許文献１に提案されているものは、解錠のために、例えば、その扉の解錠機構に適合した非常解錠用の専用鍵あるいは専用鍵などを使用せずに、また解錠を試みるための針金等を捜すことも必要なく、多くの人がいつも携行所持している１０円玉、１００円玉などのコイン（硬貨）を使用して、容易に解錠操作をできるようにした点に特徴があるものである。
【０００７】
しかし、ブース内部から施錠をしていたにも拘わらず、ブース外から、多くの人がいつも携行所持している１０円玉、１００円玉などの硬貨（コイン）を使用して解錠操作を行って容易に扉を開けることができるということは、いたずら等の発生防止という点では改善の余地があるものであった。
【０００８】
すなわち、ブース内部から施錠をする目的と、ブース外部から容易に解錠できるようにすることとは、本来、相反することであり、特に多くの人間が携行所持している硬貨（コイン）を使用して解錠操作ができてしまうことは、内部にいる人を緊急性ある非常事態時に救うという目的以外の使用（いたずら目的等）で使用される場合も想定されて、その点では良くないものであった。
【０００９】
そうした点から、硬貨（コイン）等を用いての簡単な解錠ができないようにした非常解錠装置も提案されている（特許文献２）。
【００１０】
具体的には、特許文献２に記載の非常解錠装置においては、非常事態時に解錠するための回動操作を行わせる嵌合部の形態を、断面が正六角形状や正五角形状の凸状係止部あるいは多数の円形凸状係止部などに形成して、それと嵌合する（対応する）形状の凹部を回動杆の頭部に設けて解錠操作ができるようにした装置が提案されている（特許文献２の段落０００９−００１２）。
【００１１】
この特許文献２に提案されているものは、緊急時に専用の解錠具を使用せずとも、例えば、寸法が適合する六角レンチ等を用いれば解錠できることに特徴がある。その点、硬貨（コイン）ほど多くの人が携行所持しているものではない道具（六角レンチ等）を用いるものなので、内部にいる人を緊急性ある非常事態時に救うという目的以外の使用で使用されるケースは僅少であると考えられる。
【００１２】
しかし、緊急時、専用の解錠具の所在が不明であって用意できないとき等に、寸法が適合する六角レンチ等を、代替解錠具として即座に用意することは、必ずしも容易ではなく、更に一刻も早く、内部にいる人を救出することや必要な措置をとることが要請されるものであった。
【先行技術文献】
【特許文献】
【００１３】
【特許文献１】実願昭６０−１９９８１９号（実開昭６２−１０８４６８号）のマイクロフィルム
【特許文献２】特開２０１０−２４７０９号公報
【発明の概要】
【発明が解決しようとする課題】
【００１４】
本発明は、上述したような点に鑑み、トイレブースまたはシャワーブースの内部での非常事態発生時に、特別な解錠部材を用いなくとも、身近に比較的多く存在する物品を使用して、１秒でも早く、外部から該非常事態の発生したブースの扉を解錠して該ブース内に立ち入ることを可能にして該非常事態に対応した適切な措置を行うことを可能にするトイレブースまたはシャワーブース用扉の開閉構造を提供することを目的とする。
【００１５】
上述の「身近に比較的多く存在する」物品とは、本発明者らの概念的には、身近でのその存在レベルが硬貨（コイン）のレベルよりも数十分の一レベルで少ないことを想定しており、また、六角レンチのレベルよりも数十倍のレベルで多いことを想定している。
【００１６】
本発明は、さらに、好ましい態様として、上述したような非常事態が発生したブースの扉を、外部から比較的容易に解錠できるような構造とするとともに、そうした構造がマイナス点にならないように、非常事態発生時にだけ機能させるようにしたトイレブースまたはシャワーブース用扉の開閉構造を提供することを目的とする。
【課題を解決するための手段】
【００１７】
上述した目的を達成する本発明のトイレブースまたはシャワーブース用扉の開閉構造は、以下の（１）の構成を有する。
（１）非常時の解錠機構として、ブース外部から、電気コンセントプラグを用いた機械的操作によって解錠できる機構を有してなることを特徴とするトイレブースまたはシャワーブース用扉の開閉構造。
【００１８】
かかる本発明のトイレブースまたはシャワーブース用扉の開閉構造において、好ましくは、以下の（２）〜（３）のいずれかの態様の構成を有するものである。
（２）前記非常時の解錠機構の解錠操作面を覆うカバー部材が付設されていることを特徴とする上記（１）記載のトイレブースまたはシャワーブース用扉の開閉構造。
（３）非常時の解錠機構の解錠操作面を覆う前記カバー部材が取り外されたとき、警報が発せられるようにされてなることを特徴とする上記（２）記載のトイレブースまたはシャワーブース用扉の開閉構造。
【発明の効果】
【００１９】
請求項１にかかる本発明によれば、トイレブースまたはシャワーブースの内部で人が倒れる等の非常事態の発生時に、特別な解錠部材を用いなくとも、身近に比較的多く存在する物品を使用して、１秒でも早く、外部から該非常事態の発生したブースの扉を解錠して該ブース内に入ることを可能にして、その非常事態に対応した適切な措置を行うことを可能にするトイレブースまたはシャワーブース用扉の開閉構造を提供することができる。
【００２０】
なお、ここでの「身近に比較的多く存在する」とは、本発明者らの考える概念レベルとして、身近での有用に使用できる存在数のレベルが、硬貨（コイン）のレベルよりも数十分の一以下レベルで少ないことを想定しており、また、六角レンチのレベルよりも数十倍以上のレベル程度で多いことを概念している。
【００２１】
特に、請求項２に係る本発明によれば、非常事態が発生したブースの扉を外部から比較的容易に解錠できるような構造としたことがマイナス点にならないように、非常事態発生時にだけ機能できるようにした、請求項１に係る扉の開閉構造が提供される点で優れたものである。
【００２２】
請求項３に係る本発明によれば、請求項２に係る本発明のトイレブースまたはシャワーブース用扉の開閉構造によって、非常事態発生時に機能できるように外部から操作をした時、それが真に非常事態が発生した状況なのか否かに関わらずに、警報が発せられて、非常事態発生時以外に扉が開けられることが防止されるようにした、請求項２に係る扉の開閉構造が提供される点で優れたものである。
【図面の簡単な説明】
【００２３】
【図１】本発明のトイレブースまたはシャワーブース用扉の開閉構造の一実施態様を示したものであり、（ａ）はドア外側の非常時の解錠操作面を示した正面図、（ｂ）はブース用扉に本発明の開閉構造を取付けた場合の構造を示した一部断面図であり、（ａ）を正面図として見たときに下面方向から見た周辺も含んだ下面図、（ｃ）はドア内側の解錠側の面を示した（ａ）を正面図として見たときの裏面方向から見た周辺も含んだ裏面図である。
【図２】本発明のトイレブースまたはシャワーブース用扉の開閉構造の解錠機構として使用される電気コンセントプラグ状の形態を有する解錠部材を示したものであり、（ａ）は正面図、（ｂ）は右側面図（あるいは左側面図）である。
【図３】本発明のトイレブースまたはシャワーブース用扉の開閉構造の一実施態様を説明するものであり、ドア外側の非常時の解錠操作面を覆うカバー部材を取り付ける直前の状態を示した下面図である。
【図４】本発明のトイレブースまたはシャワーブース用扉の開閉構造の他の一実施態様を示したものであり、ドア外側の非常時の解錠操作面を示した正面図である。
【発明を実施するための形態】
【００２４】
以下、更に詳しく本発明のトイレブースまたはシャワーブース用扉の開閉構造について、説明する。
【００２５】
本発明のトイレブースまたはシャワーブース用扉の開閉構造は、非常時の解錠機構として、ブース外部から、電気コンセントプラグを用いた機械的操作によって解錠できる機構を有してなることを特徴とする。
【００２６】
図１は、本発明のトイレブースまたはシャワーブース用扉の開閉構造の一実施態様を示したものであり、（ａ）はドア外側の非常時の解錠操作面１を示した正面図であり、非常時の解錠操作面１は、表示器２の中央部に設けられている。表示器２は、ブース内部の使用の有無を表示するものであり、赤色と青色の区別で使用の有無を示す表示部４を有している。
【００２７】
解錠操作面１には凹部３が２箇所設けられていて、該２箇所の凹部は、その凹部３に電気コンセントプラグの２本の差し込み片が差し込み可能な形状に形成されている。そして、緊急に解錠が要請されるときには、外部からの操作者が該凹部３に電気コンセントプラグを差し込み、例えば、電気コンセントプラグごと左方向に解錠操作面１を回すことにより解錠がなされて、直ちに扉を開けることが可能となるように構成されている。
【００２８】
図１の（ｂ）は、ブース用扉に本発明の開閉構造を取り付けた場合の構造を示した一部断面図であり、図１（ａ）の下面方向から見た断面図であって、５は施錠器、６は扉、７は袖壁である。施錠器５は、扉６を挟んで表示器２とは正反対の位置に設けられ、本来は、ブースの内部側の操作者（ブース利用者）が、内側開閉操作具１０のつまみ９を保持して施錠ボルト８を回動させることにより、解錠と施錠の両操作ができるように構成されている。
【００２９】
本発明のトイレブースまたはシャワーブース用扉の開閉構造は、トイレブースまたはシャワーブースの内部で人が倒れる等の非常事態の発生時に、特別な解錠部材を用いなくとも、身近に比較的多く存在する電気コンセントプラグを使用して、１秒でも早く、外部から非常事態の発生したブースの扉を解錠して該ブース内に立ち入り、その非常事態に対応した適切な措置を行うことを可能にすることができる。
【００３０】
図１（ｃ）は、ドア内側の解錠側の面を示したものであり、特に、（ａ）図を正面図として見たとき裏面方向から見た内側開閉操作具１０を含んで描いた裏面図である。
【００３１】
上記の説明では、電気コンセントプラグを差し込んで、該プラグを回動させて解錠をすると説明をしたが、電気コンセントプラグ状の形態を有しているものであればよく、必ず電気コンセントプラグとして製造されたものを用いる必要はない。
【００３２】
図２は、そうした電気コンセントプラグ状の形態の解錠部材の１例を示したものであり、（ａ）は正面図、（ｂ）は右（左）側面図である。
【００３３】
解錠部材１１は、一対の差し込み片１２を有していればよく、差し込み片１２の寸法諸元は、代表的には、電気コンセントプラグのそれとほぼ同一の、高さＡがＡ＝１７ｍｍ（ただし、差し込んで回動操作が支障なく可能であればよく、寸法は、１７ｍｍよりも長くても短くてもよい）、幅ＢがＢ＝６ｍｍ（ただし、差し込んで回動操作が支障なく可能であればよく、寸法は６ｍｍよりも短くてもよい）、一対の差し込み片１２どうしの間隙ＣがＣ＝１１ｍｍ、厚さＤがＤ＝１．５ｍｍ（ただし、差し込んで回動操作が支障なく可能であればよく、厚さは１．５ｍｍよりも薄くてもよい）である。
【００３４】
本発明のトイレブースまたはシャワーブース用扉の開閉構造においては、図３に示したように、非常時の解錠機構の解錠操作面１には、該解錠操作面１を覆うカバー部材１３が付設されていることが好ましい。部外者が、必要でもない解錠操作を行うことを防止するためであり、非常時の解錠操作は、あくまでも緊急性を持って開扉が要請される場合にだけ解錠操作をすることができるように、通常時はカバー部材１３を被せておくのがよいものである。
【００３５】
また、そのようにして使用しているカバー部材１３が取り外されたとき、何らかの警報が発せられるようにされてなることが好ましい。警報は、警告音を発するものおよび／または回転灯が発光しながら回転を始めるものなど、さらには集中監視室等に通報をするものなどを採用でき、カバー部材１３の設置とともに、本発明にかかるトイレブースまたはシャワーブース用扉を、不必要な開扉動作がされることから守るのに、効果を奏するものである。
【００３６】
図４は、本発明のトイレブースまたはシャワーブース用扉の開閉構造の他の一実施態様を示したものであり、凹部が２対設けられている例である。
【００３７】
解錠部材としては、専用に差し込みプラグ状に製造されたもの、あるいは、電気コンセントプラグそのものでも使用でき、さらに、充電器などに付設されているコンセントプラグ部などもそのままで使用できる。
【符号の説明】
【００３８】
１：非常時の解錠操作面
２：表示器
３：凹部
４：使用の有無を示す表示部
５：施錠器
６：扉
７：袖壁
８：施錠ボルト
９：つまみ
１０：内側開閉操作具
１１：解錠部材
１２：差し込み片
１３：カバー部材
【図１】
2014055401.tif 000003
【図２】
2014055401.tif 000004
【図３】
2014055401.tif 000005
【図４】
2014055401.tif 000006